(57)【要約】  本発明は、自身に一体的に型成型された容器首部を備える貯蔵又は点滴容器であって、容器首部は、自身の口端部から突出する少なくとも一つの乳頭形状の容器特徴部を有し、容器特徴部の密閉乳頭端部壁は抜き取り針によって穴あけ可能であるように意図される貯蔵又は点滴容器に関する。本発明の容器は、キャップが容器首部に取り付け可能であり、キャップが少なくとも一つの煙突形状のキャップ特徴部を有し、キャップ特徴部の内側空間が、少なくとも、対応する容器特徴部の自由端部領域を収納し、少なくとも一つの容器特徴部の端部壁と対応するキャップ特徴部の対向面との間の介在空間が、少なくとも貯蔵又は点滴容器から離れる向きの自身の端部領域において、容器特徴部を取り囲んで、容器特徴部の周囲への密着及び圧着の少なくとも一方の状態で、自身の帽子形状の周囲において保持される帽子形状の密封要素によって完全に満たされることを特徴とする。【選択図】図４
2016518908.tif 000002
【特許請求の範囲】
【請求項１】
自身に一体的に型成型された容器首部（３）を備える貯蔵又は点滴容器（１）であって、前記容器首部は、自身の口端部から突出する少なくとも一つの乳頭形状の容器特徴部（４，５）を有し、前記容器特徴部の密閉乳頭端部壁（６，７）は抜き取り針によって穴あけ可能であるように意図される貯蔵又は点滴容器（１）において、キャップ（８）が前記容器首部（３）に取り付け可能であり、前記キャップ（８）が少なくとも一つの煙突形状のキャップ特徴部（９，１０）を有し、前記キャップ特徴部（９，１０）の内側空間が、少なくとも、対応する前記容器特徴部（４，５）の自由端部領域を収納し、少なくとも一つの前記容器特徴部（４，５）の端部壁と対応する前記キャップ特徴部（９，１０）の対向面との間の介在空間が、少なくとも前記貯蔵又は点滴容器（１）から離れる向きの自身の端部領域において、前記容器特徴部（４，５）を取り囲んで、前記容器特徴部（４，５）の周囲への密着及び圧着の少なくとも一方の状態で、自身の帽子形状の周囲において保持される帽子形状の密封要素によって完全に満たされることを特徴とする貯蔵又は点滴容器。
【請求項２】
少なくとも二つの前記容器特徴部（４，５）が前記容器首部（３）から突出し、前記容器特徴部（４，５）のそれぞれが、対応する前記キャップ特徴部（９，１０）によって収納されることを特徴とする請求項１に記載の貯蔵容器。
【請求項３】
単数又は複数の帽子形状の前記密封要素のそれぞれが、ラッチ式接続によって対応する前記容器特徴部（４，５）に保持されることを特徴とする請求項１又は２に記載の貯蔵容器。
【請求項４】
いずれの前記密封要素（１１，１２）も自身の帽子形状の内側周囲上に、又は、いずれの前記容器特徴部も自身の周囲上に、それぞれの他の要素上の対応するラッチ溝（１４）と相互作用する少なくとも一つのラッチ突起（１３）を有することを特徴とする請求項１〜３のいずれか一項に記載の貯蔵容器。
【請求項５】
少なくとも一つの前記キャップ特徴部が、はがす又はめくる覆い要素によって好ましく密閉される穴あけ開口（１５，１６）を有することを特徴とする請求項１〜４のいずれか一項に記載の貯蔵容器。
【請求項６】
少なくとも一つの帽子形状の前記密封要素（１１，１２）が、少なくとも一つの前記キャップ特徴部（９，１０）への接着によって保持されることを特徴とする請求項１〜５のいずれか一項に記載の貯蔵容器。
【発明の詳細な説明】
【技術分野】
【０００１】
本発明は、自身に一体的に型成型される容器首部を有する貯蔵又は点滴容器に関し、この容器首部は、自身の口端部から突出する少なくとも一つの乳頭形状の容器特徴部を有し、前記容器特徴部の密閉乳頭端部壁は、抜き取り針によって穴あけ可能であるように意図されている。
【背景技術】
【０００２】
このような貯蔵又は点滴容器は、主として、無菌状態を維持されなければならない薬液に向けられたものであり、製造工程中においてすぐ連続する処理段階をもたらす成形同時充填容器としても参照される。これらの貯蔵又は点滴容器の場合において、さらに自身の容器首部の自由口端部において一体としてこの容器を次いで密閉するために、プラスチック容器が吹出成形された直後に液体が容器内へ充填される。キャップがこの貯蔵又は点滴容器に取り付けられる限り、このようなキャップは、主に、必要な点滴装置のための取り付け位置として役立つ。点滴のための準備において、キャップ、容器首部の自由端部に設けられた端部壁、及び、このキャップとこの端部壁との間に残存する介在空間は、点滴カニューレを介して容器から例えば一滴ずつ連続的に抜き取られる液体のために、点滴カニューレによって刺されることを必要とする。
【０００３】
自身の内側に密封盤を有するキャップは、穴あけされるためのゴム状材料から形成され、一般的な成形同時充填容器の容器首部の口端部へ取り付けられるために、また、介在空間が、一方で一般的な成形同時充填容器の容器首部の口端部と、他方で前記口端部に取り付けられたキャップとの間に残存するために、死空間がこの介在空間に形成され、漏れ液体が、抜き取り工程中にカニューレの外側に沿って死空間内へ流入し、前記液体は、さらに、カニューレを介して死空間から再び連続的に抜き取られることはない。これは、無菌液体が完全には使用されることができないことをもたらすだけでなく、さらにそれどころか、任意の薬の投与が、容器首部の口端部とキャップとの間に残る漏れ液体の残留量によって複雑化される。
【０００４】
ある特許文献から、薬液を収納するように意図された貯蔵容器が公知である（例えば、特許文献１参照。）。この公知の貯蔵容器は、キャップと、キャップの端部壁から突出する比較的小さな直径を有するカップ形状の特徴部とを備える蓋を有する。別に製造された円盤形状の弾性密封要素が、このカップ形状の特徴部内へキャップの内側から挿入され、前記密封要素は、特徴部から離れる向きの自身の端部の周囲に環状フランジを有する。この別に製造された密封要素がカップ形状の特徴部内へ単に設置されると、この密封要素は、自身の環状フランジによって、キャップの内側へ溶接されることができる。しかしながら、抜き取り針により密封要素を突き刺すときに、死空間が容器とそれに取り付けられたキャップとの間に形成される結果として、容器の内容物を不十分に空にすること及び各薬の不正確な投与に関する前述の欠点をもたらすように、容器首部を密閉する端部壁を穴あけする以前において、針先端は最初にこの端部壁を変形する。
【先行技術文献】
【特許文献】
【０００５】
【特許文献１】独国特許第４４２５４３３号
【発明の概要】
【発明が解決しようとする課題】
【０００６】
こうして、取り組まれる課題は、それ内に貯蔵される液体の少なくとも実質的に完全な抜き取りと、こうして、さらに、正確な投与とを容易にする前述の種類の貯蔵又は点滴容器を提供することである。
【課題を解決するための手段】
【０００７】
最初に述べた種類の貯蔵又は点滴容器におけるこの課題への本発明による解決方法は、特に、キャップが容器首部に取り付け可能であり、このキャップが少なくとも一つの煙突形状のキャップ特徴部を有し、その特徴部の内側空間が、少なくとも、対応する容器特徴部の自由端部領域を収納し、少なくとも一つの容器特徴部の端部壁と対応するキャップ特徴部の対向面との間の介在空間が、少なくとも、貯蔵又は点滴容器から離れる向きの自身の端部領域において容器特徴部を取り囲んで、容器特徴部の周囲への密着及び圧着の少なくとも一方の状態で、自身の帽子形状の周囲において保持される帽子形状の密封要素によって完全に満たされることにある。
【０００８】
本発明による貯蔵容器は、それに一体に型成形される容器首部を有する。少なくとも一つの容器特徴部は、乳頭形状であり、こうして、容器首部の口端部の断面積より小さく、容器首部の口端部から突出し、前記容器特徴部の密閉乳頭端部壁は、抜き取り針によって穴あけ可能であるように意図される。自身に通常の点滴装置又は同様な抜き取り装置が取り付け可能なキャップは、容器首部へ取り付けられることができる。このキャップは、少なくとも一つの煙突形状のキャップ特徴部を有し、その特徴部の内側空間は、少なくとも、対応する容器特徴部の自由端部領域を収納する。帽子形状の密封要素は、少なくとも一つの容器特徴部の端部壁と対応するキャップ特徴部の対向面との間の介在空間を完全に満たし、前記密封要素は、少なくとも、貯蔵又は点滴容器から離れる向きの自身の端部領域において、容器特徴部を取り囲む。この密封要素は、容器特徴部の周囲への密着及び圧着の少なくとも一方の状態で、自身の帽子形状の周囲において保持される。この密封要素は、容器首部の特徴部の端部壁と対応するキャップ特徴部の対向面との間の介在空間を完全に満たすために、介在空間は発生を防がれる。容器の内容物が乳頭形状の容器特徴部を介して抜き取られるために、また、この容器特徴部が容器首部の基部を形成する端部壁に比較してより小さな直径又は断面積を有するために、また、容器特徴部の端部壁を突き刺す間において、この端部壁が比較的小さな断面積であり、湾曲し難いために、望ましくない死空間の形成も、抜き取り針によって突き刺す間において予想されることはない。その帽子形状を有する密封要素が、少なくとも、貯蔵又は点滴容器から離れる向きの自身の端部領域において容器特徴部を取り囲み、容器特徴部の周囲への密着及び圧着の少なくとも一方の状態で、自身の内側周囲において保持されるために、比較的多量の漏れ液体が、抜き取り針によって穴あけされた容器開口から流れ出る可能性もない。このように、本発明による容器の場合において、それ内に貯蔵された液体の少なくとも実質的に完全な抜き取り、及び、こうして、正確な投与も、保証されることができる。
【０００９】
本発明による貯蔵容器に必要な抜き取り針を取り付けることを可能とし、それにもかかわらず、例えば、貯蔵液体へもう一つの有効成分を加えることを可能とするために、少なくとも二つの容器特徴部が容器首部から突出し、これらの容器特徴部のそれぞれが、対応するキャップ特徴部によって収納されることが、都合良い。
【００１０】
少なくとも一つの容器特徴部に取り付けられる密封要素が漏れ液体の排出を効果的に防止する好適な実施形態は、単数又は複数の帽子形状の密封要素のそれぞれがラッチ式接続によって対応する容器特徴部に保持されることを提供する。
【００１１】
この状況において、いずれの密封要素も自身の帽子形状の内側周囲上に、又は、いずれの容器特徴部も自身の周囲上に、それぞれの他の要素上の対応するラッチ溝と相互作用する少なくとも一つのラッチ突起を有することは、有利である。
【００１２】
抜き取り針による穴あけは容易であり、同時に、もし、少なくとも一つのキャップ特徴部が、はがす又はめくる覆い要素によって好ましく密閉される穴あけ開口を有するならば、容器内容物の無菌状態を危うくする貯蔵容器の任意の損傷は効果的に防止される。
【００１３】
本発明による貯蔵容器の簡単な組み立ても保証する本発明による好適な実施形態は、少なくとも一つの帽子形状の密封要素が、少なくとも一つのキャップ特徴部への接着によって保持されることを提供する。
【００１４】
本発明によるさらなる発展は、請求の範囲及び図面に関する以下の記述から明らかになるであろう。以下において、本発明は、好適な例示的実施形態を参照して、さらにより詳細に説明される。
【００１５】
以下の図面は尺度を変えて図示されている。
【図面の簡単な説明】
【００１６】
【図１】キャップに当接する自身の容器首部の領域における貯蔵容器の側面図である。
【図２】前記容器の容器首部に設置されたキャップを見る図１による貯蔵容器の平面図である。
【図３】図１及び２による貯蔵容器の斜視側面図である。
【図４】図２による平面Ａ−Ａに沿う図１から３による貯蔵容器の長手方向断面図である。
【図５】図２による平面Ｂ−Ｂに沿う図１から４による貯蔵容器の斜視長手方向断面図である。
【発明を実施するための形態】
【００１７】
図１〜５は、キャップ８に当接する自身の容器首部３の領域における貯蔵又は点滴容器１を例示する。貯蔵容器１は、ここでは、いわゆる成形同時充填容器として具体化され、容器の内容物は、容器の一体壁により全ての側において密封され殺菌されて取り囲まれる。こうして、貯蔵容器１は、さらに、自身の容器首部３の端部壁において密閉容器壁を有する。少なくとも一つの容器特徴部(機構部)(feature)４，５は、乳頭形状であり、こうして、容器首部の口端部の断面積より小さく、容器首部３の口端部から突出し、前記容器特徴部の密閉乳頭端部壁は、抜き取り針によって穴あけ可能なように意図されている。キャップ８は、容器首部３に取り付け可能であり、通常の点滴装置又は同様な抜き取り装置がこのキャップ上に取り付け可能である。このキャップ８は、少なくとも一つの煙突形状のキャップ特徴部９，１０を有し、その特徴部の内側空間は、少なくとも、対応する容器特徴部４，５の自由端部領域を収納する。帽子形状の密封要素１１，１２は、完全に、少なくとも一つの容器特徴部４，５の端部壁６，７と、対応するキャップ特徴部９，１０の対向面との間の介在空間を満たし、前記密封要素は、少なくとも、貯蔵容器１から離れる向きの自身の端部領域において容器特徴部４，５を取り囲む。この密封要素１１，１２は、容器特徴部４，５の周囲への密着及び圧着の少なくとも一方の状態で、自身の帽子形状の周囲において保持される。密封要素１１，１２が、容器特徴部４，５の端部壁と、対応するキャップ特徴部９，１０の対向面との間の介在空間を満たすために、介在空間は発生を防がれる。
【００１８】
図４及び５による長手方向断面において、貯蔵容器１は、ここでは、自身の容器首部３の口端部に二つの乳頭形状の容器特徴部４，５を有することが、明らかに見られる。これらの容器特徴部４，５のそれぞれは、煙突形状のキャップ特徴部９，１０内へ突出する。ここで、一つの帽子形状の密封要素が設けられ、好ましくは、いずれのキャップ特徴部９，１０にも接着によって保持される各場合において、前記密封要素１１，１２は、キャップ特徴部９，１０と容器特徴部４，５との間の介在空間が完全に満たされて死空間から免れるように、対応する容器特徴部４，５を密集して取り囲む。
【００１９】
容器の内容物が乳頭形状の容器特徴部４，５を介して抜き取られるために、また、容器特徴部４，５が容器首部３の基部を形成する端部壁に比較してより小さな直径又は断面積を有するために、また、容器特徴部４，５の端部壁を突き刺す間において、この端部壁が比較的小さな断面積であり、湾曲し難いために、望ましくない死空間の形成も、抜き取り針によって突き刺す間において予想されることはない。その帽子形状を有する密封要素１１，１２が、少なくとも、貯蔵又は点滴容器１から離れる向きの自身の端部領域において容器特徴部４，５を取り囲み、容器特徴部４，５の周囲への密着及び圧着の少なくとも一方の状態で、自身の内側周囲において保持されるために、比較的多量の漏れ液体が、抜き取り針によって穴あけされた容器開口から流れ出る可能性もない。このように、ここで例示された貯蔵容器１の場合において、それ内に貯蔵された液体の完全な抜き取り、及び、こうして、正確な投与が、保証されることができる。
【００２０】
図４において、帽子形状の密封要素１１，１２はそれぞれ、ここでは、ラッチ式接続によって対応する容器特徴部４，５に保持されることが、良く認識できる。このために、いずれの密封要素１１，１２も、自身の帽子形状の内側周囲において、対応する容器特徴部４，５の外側周囲上の対応ラッチ溝１４と相互作用するラッチ突起１３を有する。
【００２１】
図２、３、及び、５を比較すると、煙突形状のキャップ特徴部９，１０のそれぞれは穴あけ開口部１５，１６を有することがはっきりする。これらの穴あけ開口部１５，１６のそれぞれが、はがす又はめくる覆い要素によって密閉されても良いことは、ここでは図示されていない。
【００２２】
図４及び５を比較すると、環状フランジ１７は貯蔵容器１の容器首部３から突出することが図示されている。ここでは、ほぼドーム形状のキャップ８は、ここでは板の縁形状に折られるキャップ周囲部１８の周辺が環状フランジ１７上に置かれる位置において貯蔵容器１の容器首部３へ取り付けられることができる。貯蔵容器１にキャップ８を捕えて接続するために、キャップ周囲部１８の周辺は、溶接又はその様なものによって環状フランジ１７へ取り外し不可能に接続されても良い。
【符号の説明】
【００２３】
１    貯蔵容器
３    容器首部
４    容器特徴部
５    容器特徴部
６    （容器特徴部４の）乳頭端部壁
７    （容器特徴部５の）乳頭端部壁
８    キャップ
９    キャップ特徴部
１０    キャップ特徴部
１１    密封要素
１２    密封要素
１３    ラッチ突起
１４    ラッチ溝
１５    穴あけ開口部
１６    穴あけ開口部
１７    環状フランジ
１８    キャップ周囲部の周辺
【図１】
2016518908.tif 000003
【図２】
2016518908.tif 000004
【図３】
2016518908.tif 000005
【図４】
2016518908.tif 000006
【図５】
2016518908.tif 000007
【国際調査報告】
2016518908.tif 000008
2016518908.tif 000009
2016518908.tif 000010